(57)【特許請求の範囲】
【請求項１】
他の機器と通信するための信号線が接続される接続端子を備える本体モジュールと、本体モジュールの前面に取り付けられる露出パネルとを備え、本体モジュールは、施工面に形成した施工孔に後部が挿入される器体と、器体の前面に沿って器体から延設された取付板とを備え、取付板には、器体を施工面に固定するために施工面の開口面より後方に配置した固定部材に螺合するとともに取付板を施工面に密着させる取付ねじが挿通される取付孔が貫設され、露出パネルの後面には、本体モジュールに設けた被係合部と係合することにより露出パネルの下向き荷重を支える係合部が設けられ、露出パネルの後面には、露出パネルの後面との間で器体を挟持する爪部を先端部に備える装着突起が突設されており、
装着突起は、取付板に形成された挿通孔に挿通されていることを特徴とする情報通信装置。
【請求項２】
前記係合部は前記露出パネル下端部に形成され、前記被係合部は前記本体モジュール下端部に形成され、前記装着突起の下面は露出パネルの上部に形成されることを特徴とする請求項１に記載の情報通信装置。
【発明の詳細な説明】
【技術分野】
【０００１】
本発明は、施工面に取り付けられる本体モジュールと、本体モジュールに装着される露出パネルとを備え、他の機器との間で通信を行う情報通信装置に関するものである。
【背景技術】
【０００２】
従来から、宅内の施工面（壁）に取り付けられ、また、宅外などに設置された他の機器と信号線を用いて接続され、当該他の機器との間で通話などの通信を行う情報通信装置が提供されている。
【０００３】
この種の情報通信装置においては、壁内に後部を埋め込む形で壁に取り付けることにより壁面から突出する寸法を小さく抑えた情報通信装置が提供されている（例えば、特許文献１参照）。このような情報通信装置においては、壁内に後部が埋め込まれる本体モジュールと、本体モジュールの前面に装着される露出パネルとに分離した構成が考えられる。
【０００４】
露出パネルＢを本体モジュールＡに装着する構成の一例を図６（ａ），（ｂ）を参照して説明する。本体モジュールＡは、箱状に形成された器体４と、器体４の前面の上下両端部から互いに離れる向きに延設された上下一対の取付板５とを備える。器体４は、箱状のスイッチボックスＳＢ（図４参照）を用いて壁Ｗに固定される。スイッチボックスＳＢは壁Ｗに開設された施工孔１４（図４参照）の後方に固定され、器体４は、後部がスイッチボックスＳＢ内に収容される形で取付ねじ（図示せず）により固定される。
【０００５】
各取付板５には、取付ねじが挿通される取付孔５ａが貫設されている。取付ねじは、スイッチボックスＳＢに形成されたねじ孔にねじ込まれる。取付ねじを締め付けることにより上側の取付板５の上端部および下側の取付板５の下端部は、それぞれ壁面に押し付けられて壁面に密着する。
【０００６】
露出パネルＢは本体モジュールＡの前面に取り付けられる。露出パネルＢを本体モジュールＡに取り付けるため、露出パネルＢ後面下部には、下側の取付板５に貫設された引掛孔５ｂに挿通される鉤片１６が形成され、露出パネルＢ後面上部には、上側の取付板５に貫設された挿通孔５ｃ’に挿通される装着突起１’が突設されている。装着突起１’の先端部には、取付板５に引っ掛かる爪部２’が上向きに突設されている。
【特許文献１】特開平６−２９１８１８号公報
【発明の開示】
【発明が解決しようとする課題】
【０００７】
ところで、上述の構成においては、取付ねじを締め付けることにより各取付板５を壁面にそれぞれ密着させるから、取付ねじを締め付けすぎると取付板５が変形し、取付板５に貫設された挿通孔５ｃ’の位置や形状が変化することがある。したがって、爪部２’が取付板５に引っ掛からなくなり、露出パネルＢを本体モジュールＡに取り付けることができないことがある。
【０００８】
本発明は上記事由に鑑みて為されたものであり、その目的は、本体モジュールを壁に固定するための取付ねじの締付に関係なく、露出パネルを本体モジュールに必ず取り付けることができる情報通信装置を提供することにある。
【課題を解決するための手段】
【０００９】
請求項１の発明は、他の機器と通信するための信号線が接続される接続端子を備える本
体モジュールと、本体モジュールの前面に取り付けられる露出パネルとを備え、本体モジュールは、施工面に形成した施工孔に後部が挿入される器体と、器体の前面に沿って器体から延設された取付板とを備え、取付板には、器体を施工面に固定するために施工面の開口面より後方に配置した固定部材に螺合するとともに取付板を施工面に密着させる取付ねじが挿通される取付孔が貫設され、露出パネルの後面には、本体モジュールに設けた被係合部と係合することにより露出パネルの下向き荷重を支える係合部が設けられ、露出パネルの後面には、露出パネルの後面との間で器体を挟持する爪部を先端部に備える装着突起が突設されており、装着突起は、取付板に形成された挿通孔に挿通されていることを特徴とする。
【００１０】
請求項２の発明では、請求項１の発明において前記係合部は前記露出パネル下端部に形成され、前記被係合部は前記本体モジュール下端部に形成され、前記装着突起の下面は露出パネルの上部に形成されることを特徴とする。
【発明の効果】
【００１１】
請求項１の発明の構成によれば、取付ねじが挿通されるねじ孔は取付板に設けられているから、器体は取付ねじの締め付けによる負荷を直接受けず取付ねじの締付により変形することがない。したがって、取付ねじの締付に関係なく装着突起は必ず器体と係合する。結果的に、取付ねじの締付に関係なく必ず露出パネルを本体モジュールに確実に取り付けることができる。
【００１２】
請求項２の発明によれば、露出パネルと本体モジュールとを上下２箇所で結合するとともに、露出パネルの下向き荷重を、係合部と被係合部とが係合することにより支えるだけでなく、装着突起によって支えるから、露出パネルの本体モジュールに対する取付強度が大きくなる。
【発明を実施するための最良の形態】
【００１３】
以下の実施形態では、他の機器としてのドアホン子機（図示せず）と通話などの通信を行い、インターホンシステムを構築するインターホン親機を情報通信装置の一例として説明する。
【００１４】
ドアホン子機は通話機能およびカメラを備え宅外に設置される。インターホン親機は、図３に示すように通話機能および画像を表示する表示器１０を備え、施工面である宅内の壁Ｗ（図４参照）に取り付けられ、また、ドアホン子機と通信線（図示せず）で接続される。
【００１５】
図２，図３，図４を参照して本実施形態のインターホン親機について説明する。本実施形態のインターホン親機は、器具配線用のスイッチボックスＳＢを用いて壁Ｗに固定される箱状の器体４を備えた本体モジュールＡと、薄箱状に形成される露出パネルＢと、露出パネルＢの周囲を包囲する化粧プレートＰとを備える。
【００１６】
スイッチボックスＳＢは、前端が開口する箱状に形成され、壁Ｗに開設された施工孔１４の開口面の後方に固定される。スイッチボックスＳＢには、取付ねじ（図示せず）がねじ込まれるねじ孔３が前端に形成された上下一対の器具固定用突起１７が、内底面の上下両端部に突設される。
【００１７】
本体モジュールＡは、器体４前面の上下両端部から互いに離れる向きに延設される上下一対の取付板５を備える。各取付板５には、取付ねじが挿通される取付孔５ａが貫設される。また、器体４の後壁には、器体４が備える接続端子１２に信号線を接続するための端子用窓１１が開設される。接続端子１２に信号線を接続した後、器体４はスイッチボックスＳＢ内に後部を収容される形で取付ねじにより固定される。
【００１８】
ここに、上側の取付板５の上端と下側の取付板５の下端との間の寸法は、施工孔１４の上下方向の寸法よりも大きく形成され、取付ねじを締め付けると、上側の取付板５の上端部および下側の取付板５の下端部は、それぞれ壁面に密着する。
【００１９】
露出パネルＢの前壁には、表示器１０の画面を外部より視認できるようにするためのパネル用開口１５が開設される。また、露出パネルＢの前壁には複数個の操作釦１３が配設され、各操作釦１３には入力操作を行うための複数個の操作スイッチ（図示せず）が連動する。操作釦１３を操作することにより、通話機能などの機能を使用することが可能となる。
【００２０】
露出パネルＢは、後壁に開設されたパネル側接触端子用窓（図示せず）から、パネル側接触端子（図示せず）を外部に露出させ、本体モジュールＡは、前壁に開設されたモジュール側接触端子用窓（図示せず）の後方にモジュール側接触端子（図示せず）を備える。露出パネルＢを本体モジュールＡ前面に取り付けると、パネル側接触端子とモジュール側接触端子とが接続し、露出パネルＢと本体モジュールＡとが電気的に接続する。
【００２１】
露出パネルＢは本体モジュールＡの前面に取り付けられる。露出パネルＢを本体モジュールＡに取り付けるため、露出パネルＢ後面下部には、図５に示すように露出パネルＢの下向き荷重を支える係合部として、先端が下方を向くＬ字状の複数個の鉤片１６が突設され、下側の取付板５には、被係合部として、各鉤片１６がそれぞれ挿通される複数個の引掛孔５ｂが形成される。各引掛孔５ｂは、取付板５における壁面に密着しない部位に形成される。
【００２２】
また、露出パネルＢ後面上部には、複数個の装着突起１が形成される。各装着突起１の先端部からは、器体４後面に引っ掛かる爪部２がそれぞれ下方に突設される。一方、上側の取付板５には各装着突起１がそれぞれ挿通される複数個の挿通孔５ｃが貫設される。
【００２３】
図１に示すように露出パネルＢの上部が下部よりも前方となるように露出パネルＢを傾斜させた状態で各鉤片１６を各引掛孔５ｂにそれぞれ挿通し、同時に各装着突起１を各挿通孔５ｃにそれぞれ差し込む。その後、露出パネルＢの上部を壁Ｗ側に倒すと、爪部２が器体４の後面に引っ掛かり、爪部２と露出パネルＢの後面とで器体４の一部が挟持される。しかして、露出パネルＢは本体モジュールＡに取り付けられる。また、露出パネルＢの下向き荷重が装着突起１によっても支えられる。
【００２４】
なお、露出パネルＢと取付板５とは、後面が略同一面となるように形成され、露出パネルＢを本体モジュールＡに取り付けた状態において露出パネルＢ後面と壁面との間に隙間が生じないようになっている。
【００２５】
ところで、上述したように取付ねじを締め付けることにより各取付板５を壁面に密着させるから、取付ねじを締め付けすぎると各取付板５は変形することがある。一方、各取付板５は器体４前面の上下両端部から延設されているから、器体４は取付ねじの締め付けによる負荷を直接受けず、たとえ取付ねじを締め付けすぎたとしても変形することがない。本実施形態では取付ねじの締め付けにより変形することのない器体４の後面に爪部２を引掛けるから、取付ねじの締め付けに関係なく装着突起１は器体４と係合する。結果的に、取付ねじの締め付けに関係なく、露出パネルＢを本体モジュールＡに必ず取り付けることができる。
【００２６】
なお、本実施形態では、爪部２を器体４の後面に引っ掛けているが、器体４の側面に凹所を形成して引っ掛けるようにしてもよい。
【００２７】
また、本実施形態では本体モジュールＡを固定する固定部材として器具配線用のスイッチボックスＳＢを用いているが、施工面が壁パネルの一面であるときには、壁パネルを本体モジュールＡの後面との間で挟み込むはさみ金具を用いて本体モジュールＡを壁Ｗに固定してもよい。
【図面の簡単な説明】
【００２８】
【図１】実施形態の組立時における側面図である。
【図２】実施形態の背面側の斜視図である。
【図３】実施形態の前面側の斜視図である
【図４】実施形態においてスイッチボックスを取り付けた状態の壁の斜視図である。
【図５】実施形態の露出パネルおよび本体モジュールの下部断面図である。
【図６】従来例を示す図であり、（ａ）は組立時における側面図、（ｂ）は斜視図である。
【符号の説明】
【００２９】
Ａ  本体モジュール
Ｂ  露出パネル
ＳＢ  スイッチボックス（固定部材）
Ｗ  壁（施工面）
１  装着突起
２  爪部
３  ねじ孔
４  器体
５  取付板
５ａ  取付孔
５ｂ  引掛孔（被係合部）
１２  接続端子
１４  施工孔
１６  鉤片（係合部）
【図１】
0005033023.tif 000002
【図２】
0005033023.tif 000003
【図３】
0005033023.tif 000004
【図４】
0005033023.tif 000005
【図５】
0005033023.tif 000006
【図６】
0005033023.tif 000007